(57)【要約】  オンデマンドバス１０の複数のユーザは、要望として、運行管理センタ２０に対して、バス１０に乗車する希望乗車位置、希望乗車時刻及び希望乗車時間帯を指定するための乗車許容付加時間と、バス１０から降車する希望降車位置、希望降車時刻及び希望降車時間帯を指定するための降車許容付加時間とを含む予約情報を情報端末装置３０を利用して送信する。センタ２０は、それぞれの予約情報のうちの希望乗車時間帯及び希望降車時間帯の組み合わせを考慮して、複数のユーザが、希望乗車時間帯内で希望乗車位置にてバス１０に乗車し、希望降車時間帯内で希望降車位置にてバス１０から降車するように、バス１０を運行する運行スケジュールを決定する。
2014002267.tif 000002
【特許請求の範囲】
【請求項１】
複数の利用者からの要望に基づいてオンデマンド車両の運行スケジュールを作成し、作成した運行スケジュールに従って前記オンデマンド車両の運行を管理する運行管理手段を備えたオンデマンド車両運行管理装置において、
前記運行管理手段が、
前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定することを特徴とするオンデマンド車両運行管理装置。
【請求項２】
請求項１に記載したオンデマンド車両運行管理装置において、
前記希望乗車時間帯及び前記希望降車時間帯は、
前記オンデマンド車両を利用する前記利用者がそれぞれ指定するものであることを特徴とするオンデマンド車両運行管理装置。
【請求項３】
請求項１又は請求項２に記載したオンデマンド車両運行管理装置において、
前記希望乗車時間帯は、前記オンデマンド車両に乗車する希望乗車時刻と、この希望乗車時刻の前後に付加されて前記オンデマンド車両を利用するそれぞれの前記利用者にとって許容可能な乗車許容付加時間とを含んで構成され、
前記希望降車時間帯は、前記オンデマンド車両から降車する希望降車時刻と、この希望降車時刻の前後に付加されて前記利用者にとって許容可能な降車許容付加時間とを含んで構成されることを特徴とするオンデマンド車両運行管理装置。
【請求項４】
請求項１ないし請求項３のうちのいずれか一つに記載したオンデマンド車両運行管理装置において、
前記希望乗車時間帯及び前記希望降車時間帯は、予め設定された複数の時間帯のうちから選択されるものであることを特徴とするオンデマンド車両運行管理装置。
【請求項５】
請求項１ないし請求項４のうちのいずれか一つに記載したオンデマンド車両運行管理装置において、
前記運行管理手段は、
前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することを特徴とするオンデマンド車両運行管理装置。
【請求項６】
請求項１ないし請求項５のうちのいずれか一つに記載したオンデマンド車両運行管理装置において、
前記運行管理手段は、
前記希望乗車時間帯及び前記希望降車時間帯の長さに応じて、前記オンデマンド車両を利用するそれぞれの前記利用者に付与される利得を決定し、
前記決定した利得を前記利用者に提示することを特徴とするオンデマンド車両運行管理装置。
【請求項７】
請求項６に記載したオンデマンド車両運行管理装置において、
前記運行管理手段は、
前記希望乗車時間帯及び前記希望降車時間帯の長さが短くなるほど、前記利用者に付与される利得を小さく決定し、
前記希望乗車時間帯及び前記希望降車時間帯の長さが長くなるほど、前記利用者に付与される利得を大きく決定することを特徴とするオンデマンド車両運行管理装置。
【請求項８】
請求項６又は請求項７に記載したオンデマンド車両運行管理装置において、
前記複数の利用者に付与される利得は、
前記オンデマンド車両の利用に際して発生する運賃に関連するものであることを特徴とするオンデマンド車両運行管理装置。
【請求項９】
複数の利用者からの要望に基づいてオンデマンド車両の運行スケジュールを作成し、作成した運行スケジュールに従って前記オンデマンド車両の運行を管理するオンデマンド車両運行管理方法において、
前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することを特徴とするオンデマンド車両運行管理方法。
【請求項１０】
請求項９に記載したオンデマンド車両運行管理方法において、更に、
前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、
前記決定した利得を前記利用者に提示することを特徴とするオンデマンド車両運行管理方法。
【請求項１１】
複数の利用者が乗車するオンデマンド車両と、前記複数の利用者からの要望に基づいて前記オンデマンド車両の運行スケジュールを作成し、作成した運行スケジュールに従って前記オンデマンド車両の運行を管理する運行管理センタと、前記利用者によって操作されて前記要望を前記運行管理センタに供給する情報端末装置とからなるオンデマンド車両運行管理システムにおいて、
前記運行管理センタは、
前記情報端末装置によって供給される前記複数の利用者からの要望であって、少なくとも、前記複数の利用者がそれぞれ前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記決定した運行スケジュールを表す運行スケジュール情報を前記情報端末装置を介して前記複数の利用者に提供するとともに、前記決定した運行スケジュールに従って運行している前記オンデマンド車両の運行状況を表す運行状況情報を前記情報端末装置を介して前記複数の利用者に提供することを特徴とするオンデマンド車両運行管理システム。
【請求項１２】
請求項１１に記載したオンデマンド車両運行管理システムにおいて、
前記運行管理センタは、更に、
前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、
前記決定した利得を前記情報端末装置を介して前記利用者に提示することを特徴とするオンデマンド車両運行管理システム。
【発明の詳細な説明】
【技術分野】
【０００１】
本発明は、複数の利用者からの要望に基づいてオンデマンド車両の運行スケジュールを作成し、作成した運行スケジュールに従って前記オンデマンド車両の運行を管理するオンデマンド車両運行管理装置、オンデマンド車両運行管理方法及びオンデマンド車両運行管理システムに関する。
【背景技術】
【０００２】
従来から、例えば、下記特許文献１に示された運行実績を活用したオンデマンドバスの運行スケジューリングシステム及びその方法は知られている。この従来のオンデマンドバスの運行スケジューリングシステム等は、乗客の乗降に関し、その予約と実績に係る運行実績を格納するデータベースと、データベースに格納されている運行実績から予め乗客の乗降に関する特性情報を抽出し、抽出した特性情報と抽出した特性情報に対応する運行実績に含まれる予約を示す情報とを対応付けてデータベースに格納する手段と、運行スケジュールを決定する現在の状況が、特性情報が示す状況に整合するとき、整合した特性情報に対応する運行実績に含まれる予約情報に基づいて、オンデマンドバスの運行スケジュールを決定する手段とを設けるようになっている。【０００３】
又、従来から、例えば、下記特許文献２に示された相乗り乗車システム、乗車情報処理装置及び相乗り乗車方法も知られている。この従来のシステム等では、相乗り車両の走行ルートを基準区間と基準外区間とに分類し、基準区間はその区間を走行中の同乗者がその該当区間の走行距離に応じて発生する支払い料金を均等に割り勘にする一方、基準外区間の走行により発生する支払い料金はその区間走行を必要とする特定のユーザにチャージするようになっている。
【先行技術文献】
【特許文献】
【０００４】
【特許文献１】特開２０１１−２２６４６号公報
【特許文献２】特開２００４−３６２２７１号公報
【発明の概要】
【０００５】
ところで、上記特許文献１，２に示された従来のシステム等においては、原則、オンデマンドバス（相乗り車両）を利用するユーザの要望（デマンド）に応じて運行されるものである。この場合、全てのユーザの要望（デマンド）を満たそうとすると、オンデマンドバス（相乗り車両）の運行便数が多くなり、採算性のある運行スケジュールを決定することが困難となる。又、ユーザの要望（デマンド）を満たして利便性を確保するために運行便数を増しつつ採算性を確保する場合には、ユーザが負担する運賃（コスト）が増大する。従って、効率的かつ合理的にオンデマンド車両の運行スケジュールを決定できることが望まれている。
【０００６】
本発明は、上記課題を解決するためになされたものであり、その目的は、利便性と採算性を確保できるオンデマンド車両の運行スケジュールを決定するオンデマンド運行管理装置、オンデマンド車両運行管理方法及びオンデマンド車両運行管理システムを提供することにある。
【０００７】
上記目的を達成するための本発明によるオンデマンド車両運行管理装置は、運行管理手段を備えている。前記運行管理手段は、複数の利用者からの要望に基づいてオンデマンド車両の運行スケジュールを作成し、作成した運行スケジュールに従って前記オンデマンド車両の運行を管理する。
【０００８】
本発明の特徴は、前記運行管理手段が、前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定することにある。尚、この場合、前記運行管理手段が、前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得する情報取得手段と、前記情報取得手段によって前記複数の利用者から取得されたそれぞれの前記情報のうちの前記希望乗車時間帯及び前記希望降車時間帯の組み合わせを考慮して、前記複数の利用者が、それぞれ、前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定する運行スケジュール決定手段とを備えることができる。
【０００９】
この場合、前記希望乗車時間帯及び前記希望降車時間帯は、前記オンデマンド車両を利用する前記利用者がそれぞれ指定することができる。そして、これらの場合、前記希望乗車時間帯を、前記オンデマンド車両に乗車する希望乗車時刻と、この希望乗車時刻の前後に付加されて前記オンデマンド車両を利用するそれぞれの前記利用者にとって許容可能な乗車許容付加時間とを含んで構成することができ、前記希望降車時間帯を、前記オンデマンド車両から降車する希望降車時刻と、この希望降車時刻の前後に付加されて前記利用者にとって許容可能な降車許容付加時間とを含んで構成することができる。更に、これらの場合、前記希望乗車時間帯及び前記希望降車時間帯は、予め設定された複数の時間帯のうちから選択することができる。
【００１０】
又、これらの場合、前記運行管理手段は、前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することができる。尚、この場合、前記運行管理手段は、前記運行スケジュール決定手段によって決定された運行スケジュールを表す運行スケジュール情報を前記複数の利用者に提供するとともに、前記決定された運行スケジュールに従って運行している前記オンデマンド車両の運行状況を表す運行状況情報を前記複数の利用者に提供する情報提供手段を備えることができる。
【００１１】
これらによれば、オンデマンド車両を利用する利用者のそれぞれが希望乗車時間帯及び希望降車時間帯すなわち乗車許容付加時間及び降車許容付加時間を指定することができる。そして、運行管理手段は、それぞれの利用者によって指定された希望乗車時間帯及び希望降車時間帯（乗車許容付加時間及び降車許容付加時間）の組み合わせを考慮して運行スケジュールを決定することができる。このように運行スケジュールを決定することにより、利用者の都合に応じて長さが増減される希望乗車時間帯及び希望降車時間帯（乗車許容付加時間及び降車許容付加時間）を有効に組み合わせて活用することができ、利用者の利便性を損なうことなく運行便数の増加を適切に抑制することができる。そして、このように、効率的かつ合理的な運行スケジュールを決定することにより、採算性を確保してオンデマンド車両を運行させることができ、その結果、利用者が負担する運賃（コスト）が増大することを適切に抑制することができる。
【００１２】
又、本発明の他の特徴は、前記運行管理手段が、前記希望乗車時間帯及び前記希望降車時間帯の長さに応じて、前記オンデマンド車両を利用するそれぞれの前記利用者に付与される利得を決定し、前記決定した利得を前記利用者に提示することにもある。この場合、前記運行管理手段は、前記希望乗車時間帯及び前記希望降車時間帯の長さが短くなるほど、前記利用者に付与される利得を小さく決定し、前記希望乗車時間帯及び前記希望降車時間帯の長さが長くなるほど、前記利用者に付与される利得を大きく決定することができる。そして、これらの場合、前記利用者に付与される利得は、例えば、前記オンデマンド車両の利用に際して発生する運賃に関連するものとすることができる。
【００１３】
これらによれば、オンデマンド車両の利用者に対して、希望乗車時間帯及び希望降車時間帯を長くするように効果的に促すことができる。これにより、希望乗車時間帯及び希望降車時間帯（乗車許容付加時間及び降車許容付加時間）をより有効に組み合わせて活用して、利用者の利便性を損なうことなく運行便数の増加を適切に抑制することができる。
【００１４】
又、本発明の他の特徴は、複数の利用者からの要望に基づいてオンデマンド車両の運行スケジュールを作成し、作成した運行スケジュールに従って前記オンデマンド車両の運行を管理するオンデマンド車両運行管理方法において、前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することにもある。
【００１５】
そして、この場合、更に、前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、前記決定した利得を前記利用者に提示することができる。
【００１６】
更に、本発明の他の特徴は、複数の利用者が乗車するオンデマンド車両と、前記複数の利用者からの要望に基づいて前記オンデマンド車両の運行スケジュールを作成し、作成した運行スケジュールに従って前記オンデマンド車両の運行を管理する運行管理センタと、前記利用者によって操作されて前記要望を前記運行管理センタに供給する情報端末装置とからなるオンデマンド車両運行管理システムにおいて、前記運行管理センタは、前記情報端末装置によって供給される前記複数の利用者からの要望であって、少なくとも、前記複数の利用者がそれぞれ前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、前記決定した運行スケジュールを表す運行スケジュール情報を前記情報端末装置を介して前記複数の利用者に提供するとともに、前記決定した運行スケジュールに従って運行している前記オンデマンド車両の運行状況を表す運行状況情報を前記情報端末装置を介して前記複数の利用者に提供することにもある。
【００１７】
そして、この場合には、前記運行管理センタは、更に、前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、前記決定した利得を前記情報端末装置を介して前記利用者に提示することができる。
【図面の簡単な説明】
【００１８】
【図１】図１は、本発明の実施形態に係るオンデマンド車両運行管理装置の適用可能なオンデマンド車両運行管理システムの概略図である。
【図２】図２は、図１の車両に搭載された情報端末装置の構成を概略的に示すブロック図である。
【図３】図３は、図１の運行管理センタの構成を概略的に示すブロック図である。
【図４】図４は、図１の携帯情報端末装置の構成を概略的に示すブロック図である。
【図５】図５は、図３のサーバ（コンピュータ）によって実行されるコンピュータプログラム処理を機能的に表す機能ブロック図である。
【図６】図６は、本実施形態における予約情報テーブルを説明するための図である。
【図７】図７は、図６の予約情報テーブルに入力された予約情報に基づいて作成されるタイムチャートである。
【発明を実施するための形態】
【００１９】
以下、本発明の一実施形態に係るオンデマンド車両運行管理装置（以下、本装置と称呼する。）について図面を参照しながら説明する。
【００２０】
図１は、本装置の適用可能なオンデマンド車両の運行を管理するオンデマンド車両運行管理システムの概略構成を示している。本実施形態におけるオンデマンド車両運行管理システムは、ユーザからの要望（デマンド）に応じて運行される複数台のオンデマンドバス１０と、本装置を備えて各オンデマンドバス１０の運行スケジュールを決定して運行を管理する運行管理センタ２０と、ユーザが所持している情報端末装置３０とを備えている。そして、このオンデマンド車両運行管理システムにおいては、各オンデマンドバス１０（より詳しくは、後述する運行情報端末装置１１）、運行管理センタ２０及び情報端末装置３０が、例えば、インターネット回線網や携帯電話回線網等のネットワーク４０によって互いに通信可能に接続されている。
【００２１】
オンデマンドバス１０は、周知の通り、予め運行経路や運行時刻等（以下、これらをまとめて「運行スケジュール」とも称呼する。）が定められておらず、後述する運行管理センタ２０によってユーザの要望（要求）に応じて適宜決定された運行スケジュールに従って特定地域を走行する乗合車両である。このため、オンデマンドバス１０には、運行管理センタ２０との通信により運行スケジュールを表す運行スケジュール情報含む各種情報を送受信する運行情報端末装置１１が搭載されている。運行情報端末装置１１は、図２に示すように、電子制御ユニット１１ａ、通信ユニット１１ｂ、記憶ユニット１１ｃ、報知ユニット１１ｄ及びＧＰＳユニット１１ｅを備えている。
【００２２】
電子制御ユニット１１ａは、ＣＰＵ、ＲＯＭ、ＲＡＭ等を主要構成部品とするマイクロコンピュータであり、オンデマンドバス１０に搭載される運行情報端末装置１１の動作を統括的に制御する。通信ユニット１１ｂは、ネットワーク４０を介した無線通信により、運行管理センタ２０との間の通信を実現するものである。記憶ユニット１１ｃは、ハードディスクや半導体メモリ等の記憶媒体及び同記憶媒体のドライブ装置を含むものである。そして、記憶ユニット１１ｃは、電子制御ユニット１１ａが運行情報端末装置１１の作動を統括的に制御するにあたって必要なプログラム及び後述するように運行管理センタ２０から提供される運行スケジュールを表す運行スケジュール情報を含む各種データを予め又は更新可能に記憶している。報知ユニット１１ｄは、表示ディスプレイやスピーカ等から構成されている。そして、報知ユニット１１ｄは、電子制御ユニット１１ａによる制御に従って、表示ディスプレイの画面上に文字、図形等を表示したり、音声をスピーカから出力して、運行スケジュール情報を報知するものである。ＧＰＳユニット１１ｅは、ＧＰＳ(Global Positioning System)衛星からの電波を受信して、運行情報端末装置１１が搭載されるオンデマンドバス１０の位置を検出するものである。
【００２３】
運行管理センタ２０は、ユーザの要望（要求）に応じたオンデマンドバス１０の運行スケジュールを決定し、オンデマンドバス１０に運行スケジュール情報を提供して運行を管理ものである。又、運行管理センタ２０は、ユーザに対して運行スケジュール情報を提供するとともにオンデマンドバス１０の運行に関する各種情報を提供するものである。このため、運行管理センタ２０は、図３に示すように、サーバ２１と通信装置２２とを備えている。
【００２４】
サーバ２１は、制御装置２１ａ、記憶装置２１ｂ及び通信インターフェース２１ｃを備えている。制御装置２１ａは、ＣＰＵ、ＲＯＭ、ＲＡＭ等からなるマイクロコンピュータを主要構成部品とするものであり、運行スケジュールの決定及び運行の管理に関する運行管理センタ２０（より具体的にはサーバ２１）の動作を統括的に制御する。記憶装置２１ｂは、ハードディスクや半導体メモリ等の記憶媒体及び同記憶媒体のドライブ装置を含むものであり、各種プログラム及び各種データを記憶している。通信インターフェース２１ｃは、運行管理センタ２０内に構築された通信回線（例えば、ＬＡＮ回線等）に接続するためのインターフェースである。又、記憶装置２１ｂは、ユーザを識別するためのユーザ識別情報と、ユーザによるオンデマンドバス１０の利用に関する各種情報（以下、「予約情報」とも称呼する。）とを互いに関連付けて検索可能に蓄積して記憶する運行データベース２１ｄを備えている。この運行データベース２１ｄは、更に、オンデマンドバス１０に搭載された運行情報端末装置１１から送信されるオンデマンドバス１０を識別するためのバス識別情報と、オンデマンドバス１０の運行に伴う各種情報（以下、「運行情報」とも称呼する。）とを互いに関連付けて蓄積して記憶している。
【００２５】
尚、ユーザ識別情報及びバス識別情報については、該当するユーザ及びオンデマンドバス１０に予め割り当てられたときに自動的に検索可能に運行データベース２１ｄに記憶される（登録される）ようになっている。このとき、ユーザ識別情報については、例えば、ユーザの氏名、ユーザの自宅の住所や自宅の位置を表す経度及び緯度等と関連付けて登録されるようになっている。これにより、ユーザが、例えば、情報端末装置３０を利用してユーザ識別情報とともに予約情報を送信すると、運行データベース２１ｄの所定記憶位置にユーザ識別情報と予約情報とが互い関連付けられて、後述するような予約情報テーブルとして記憶される。又、運行情報端末装置１１が、バス識別情報とともに運行情報（具体的には、位置情報）を送信すると、運行データベース２１ｄの所定記憶位置にバス識別情報と運行情報とが互いに関連付けられて記憶される。
【００２６】
通信装置２２は、運行管理センタ２０内に構築された通信回線を介してサーバ２１と接続されている。そして、通信装置２２は、ネットワーク４０に接続して、運行情報端末装置１１及び情報端末装置３０との通信を実現するものである。これにより、通信装置２２は、運行情報端末装置１１との間で、運行スケジュール情報を送信したり、バス識別情報及び運行情報を受信する。又、通信装置２２は、情報端末装置３０との間で、ユーザ識別情報及び予約情報を受信したり、運行スケジュール情報や、運行情報に基づくオンデマンドバス１０の運行状況を表す運行状況情報、オンデマンドバス１０の利用に際してユーザの要望（要求）に応えられないことを表すお断り情報を送信したりする。
【００２７】
情報端末装置３０は、ユーザによって操作されて、例えば、電子メールによる文字データや音声による通話によって予約情報を運行管理センタ２０に送信したり、運行管理センタ２０から運行スケジュール情報や、運行状況情報、お断り情報を受信するものである。このため、情報端末装置３０は、図４に示すように、互いに通信可能に接続された入力ユニット３１、表示ユニット３２、電子制御ユニット３３、記憶ユニット３４及び通信ユニット３５を備えている。入力ユニット３１は、例えば、キーボードや表示ユニット３２内に組み込まれて表示パネルのタッチ操作を検出するタッチパネル式キーボード、或いは、外部（具体的には、運行管理センタ２０に常駐するオペレータ等）との間の通話を可能とする音声入力デバイス等から構成されるものである。表示ユニット３２は、例えば、液晶表示器等からなり、文字、図形等を表示パネル上に表示するものである。
【００２８】
電子制御ユニット３３は、ＣＰＵ、ＲＯＭ、ＲＡＭ等からなるマイクロコンピュータを主要構成部品とするものであり、各種アプリケーションプログラムの実行により入力ユニット３１、表示ユニット３２、記憶ユニット３４及び通信ユニット３５の作動を統括的に制御する。記憶ユニット３４は、電子制御ユニット３３が情報端末装置３０の作動を統括的に制御するための各種アプリケーションプログラム及び各種データを記憶するとともに、予約情報の送信に際して運行管理センタ２０にアクセスするために必要なユーザ識別情報（具体的には、ユーザＩＤ情報及びパスワード等）を記憶する。通信ユニット３５は、ネットワーク４０に接続して、ユーザ識別情報及び予約情報や、運行スケジュール情報、お断り情報、音声データ等を運行管理センタ２０に送受信する機能を実現する。
【００２９】
ここで、情報端末装置３０としては、具体的に、スマートフォン等の携帯電話やタブレット型の情報端末、ラップトップ型のパーソナルコンピュータ等を採用することができる。尚、この場合、携帯性に劣るものの、例えば、自宅等に設置されたデスクトップ型のパーソナルコンピュータや、自宅等に設置された固定電話等を利用可能であることは言うまでもない。
【００３０】
次に、上記のように構成した実施形態の動作を機能ブロック図を参照しながら説明する。本実施形態における運行管理センタ２０のサーバ２１（より詳しくは、制御装置２１ａ）は、図５に示すように、予約情報受付部５１と、運行スケジュール決定部５２と、情報出力部５３とからなる運行管理部５０を備えている。尚、詳細を省略するが、運行管理センタ２０のサーバ２１は、オンデマンドバス１０を運行させる地域（地区）の現在情報として、各道路（又は、交差点間のような道路区間）の渋滞情報（混雑度や道路区間又は所定区間の走行時間等）、気象条件、運行情報（オンデマンドバス１０の現在位置）等を収集して運行データベース２１ｄに記憶するようになっている。又、オンデマンドバス１０の台数については、運行地域（運行地区）の広さやユーザの数に応じて適宜決定されるものであり、更には、商店街や、病院、公共施設、地形的特徴（坂道の有無等）、時間帯等に基づいても決定される。尚、この場合、運行地域（運行地区）を割り当てないオンデマンドバス１０を用意しておき、乗車を希望するユーザが少ない地域（地区）に対して、このオンデマンドバス１０をユーザからの要望（要求）に応じて臨時に割り当てるように実施することも可能である。
【００３１】
情報取得手段としての予約情報受付部５１は、ユーザがオンデマンドバス１０の利用を要望（要求）するために運行管理センタ２０に送信する（伝達する）予約情報を受け付ける。すなわち、予約情報受付部５１は、オンデマンドバス１０への希望乗車位置、オンデマンドバス１０からの希望降車位置、オンデマンドバス１０への希望乗車時刻、オンデマンドバス１０からの希望降車時刻、希望乗車時刻の前後に付加できる乗車許容付加時間、希望降車時刻の前後に付加できる降車許容付加時間をユーザから予約情報として受け付ける。尚、以下の説明においては、希望乗車時刻と乗車許容付加時間とを合わせて希望乗車時間帯とも称呼し、希望降車時刻と降車許容付加時間とを合わせて希望降車時間帯とも称呼する。
【００３２】
ここで、ユーザにおいては、自身が所持する情報端末装置３０を用いて予約情報を運行管理センタ２０に送信することができるとともに、例えば、自宅に設置された固定電話等を利用して運行管理センタ２０に常駐しているオペレータに対して音声による通話によって予約情報を伝達することができる。以下、この予約情報の送信（伝達）について、主に、情報端末装置３０を用いた場合を簡単に説明しておく。
【００３３】
ユーザが情報端末装置３０を利用して運行管理センタ２０に予約情報を送信する場合、ユーザは、情報端末装置３０にて予約情報を送信するために運行管理センタ２０から提供された所定のアプリケーションプログラムを起動させる。そして、ユーザは、情報端末装置３０の入力ユニット３１を利用し、この所定のアプリケーションプログラムに従い、希望乗車位置、希望降車位置、希望乗車時刻、乗車許容付加時間、希望降車時刻、降車許容付加時間を入力する。
【００３４】
ここで、ユーザは、乗車許容付加時間及び降車許容付加時間として、希望乗車時刻及び希望降車時刻を含み自身が許容できる時間を入力するようになっており、最も長い時間（例えば、１．５時間）、普通の時間（例えば、１．０時間）、最も短い時間（例えば、０．５時間）から選択するようになっている。尚、以下の説明においては、ユーザが、乗車許容付加時間及び降車許容付加時間として、最も長い時間を指定した場合の予約情報を「のんびりおまかせ予約」と称呼し、普通の時間を指定した場合の予約情報を「普通予約」と称呼し、最も短い時間を指定した場合の予約情報を「スポット予約」と称呼する。このように、予約情報が入力されると、情報端末装置３０の電子制御ユニット３３は、入力された予約情報と記憶ユニット３４に記憶しているユーザ識別情報とを、通信ユニット３１を介して運行管理センタ２０に送信する。
【００３５】
運行管理センタ２０においては、予約情報受付部５１が、通信装置２２を利用してユーザの情報端末装置３０から送信された予約情報及びユーザ識別情報を取得して受け付ける。そして、予約情報受付部５１は、予め設けられていて、少なくとも、希望乗車時刻、乗車許容付加時間、希望降車時刻、降車許容付加時間、希望乗車位置、希望降車位置を入力項目とする予約情報テーブルに対して、受け付けた予約情報の対応する各項目を入力する。そして、受け付けた予約情報に基づいて予約情報テーブルの各項目を入力すると、予約情報受付部５１は、この予約情報テーブルと受け付けたユーザ識別情報とを関連付けて、運行データベース２１ｄの所定記憶位置に検索可能に記憶する。尚、この場合、希望乗車位置又は希望降車位置について、例えば、ユーザの自宅が指定されている場合には、予約情報受付部５１は、予め運行データベース２１ｄに登録されているユーザの自宅の住所や経度及び緯度を予約情報テーブルに関連付けて記憶する。
【００３６】
尚、ユーザが、例えば、通話によって予約情報を管理センタ２０のオペレータに伝達する場合においては、まず、オペレータが通話によってユーザからユーザの氏名と予約情報、すなわち、希望乗車位置、希望降車位置、希望乗車時刻、乗車許容付加時間、希望降車時刻、降車許容付加時間とを取得して受け付ける。そして、オペレータは、図示を省略するが、運行管理センタ２０に設けられた入力ユニット（例えば、キーボード等）を利用して、予約情報受付部５１に対し、前記受け付けた予約情報の各項目を入力する。又、オペレータは、取得したユーザの氏名を用いて予め登録されているユーザ識別情報を取得し、このユーザ識別情報を予約情報受付部５１に入力する。これにより、予約情報受付部５１は、オペレータによって入力された各項目を反映した予約情報テーブルと入力されたユーザ識別情報とを関連付けて、運行データベース２１ｄの所定記憶位置に検索可能に記憶する。
【００３７】
ここで、ユーザがオンデマンドバス１０を利用するにあたっては、後述するように、利用可能なオンデマンドバス１０を確保して運行スケジュールを決定する必要がある。すなわち、利用可能なオンデマンドバス１０を確保して運行スケジュールを決定するためには、ある程度の時間が必要となる。このため、予約情報受付部５１は、予約情報を取得すると、現在の時刻から、少なくとも、希望乗車時刻までの時間が所定の時間以下となるように指定されているときには、ユーザに対してお断り情報を送信するようになっている。言い換えれば、予約情報受付部５１は、少なくとも、所定の時間が確保できる時点までは予約情報を受け付け、所定の時間が確保できない時点以降は予約情報の受け付けを締め切るようになっている。
【００３８】
運行スケジュール決定手段としての運行スケジュール決定部５２は、予約情報受付部５１によって運行データベース２１ｄに記憶された予約情報テーブルに基づき、オンデマンドバス１０の運行スケジュールを決定する。以下この運行スケジュールの決定について、ユーザＡ、ユーザＢ、ユーザＣ及びユーザＤが予約情報を送信してオンデマンドバス１０を利用する状況を例示して具体的に説明する。
【００３９】
この場合においては、図６に予約情報テーブルを示すように、ユーザＡは、普通予約により、希望乗車時刻として１１時３０分を指定し、乗車許容付加時間として１０時３０分から１１時３０分までの１．０時間を指定し、希望降車時刻として１３時３０分を指定し、降車許容付加時間として１２時３０分から１３時３０分までの１．０時間を指定し、希望乗車位置として地点Ｏ１を指定し、希望降車位置として地点Ｄ１を指定している。ユーザＢは、普通予約によって希望乗車時刻として１１時３０分を指定するとともに乗車許容付加時間として１０時３０分から１１時３０分までの１．０時間を指定し、ゆったりおまかせ予約によって希望降車時刻として１３時３０分を指定するとともに降車許容付加時間として１２時３０分から１４時までの１．５時間を指定し、希望乗車位置として地点Ｏ２を指定し、希望降車位置として地点Ｄ２を指定している。
【００４０】
ユーザＣは、普通予約によって希望乗車時刻として１３時を指定するとともに乗車許容付加時間として１２時から１３時までの１．０時間を指定し、スポット予約によって希望降車時刻として１６時を指定するとともに降車許容付加時間として１５時３０分から１６時までの０．５時間を指定し、希望乗車位置として地点Ｏ２を指定し、希望降車位置として地点Ｄ３（駅）を指定している。ユーザＤは、普通予約によって希望乗車時刻として１１時３０分を指定するとともに乗車許容付加時間として１０時３０分から１１時３０分までの１．０時間を指定し、スポット予約によって希望降車時刻として１４時３０分を指定するとともに降車許容付加時間として１４時から１４時３０分までの０．５時間を指定し、希望乗車位置として地点Ｏ３を指定し、希望降車位置として地点Ｄ４を指定している。
【００４１】
そして、運行スケジュール決定部５２は、図６に示す予約情報テーブルに入力された各予約情報に基づき、図７に示すようなタイムチャートを作成する。これにより、運行スケジュール決定部５２は、この作成したタイムチャートに従い、各ユーザＡ〜ユーザＤが指定した希望乗車時間帯及び希望降車時間帯のそれぞれの組み合わせを考慮し、希望乗車時間帯及び希望降車時間帯を通るオンデマンドバス１０の運行スケジュールを決定する。すなわち、運行スケジュール決定部５２は、まず、運行データベース２１ｄの所定記憶位置に記憶されている予約情報テーブルを検索し、予約情報テーブルに入力されている各ユーザＡ〜ユーザＤの予約情報をそれぞれ抽出する。
【００４２】
次に、運行スケジュール決定部５２は、抽出したそれぞれの予約情報のうち、希望乗車位置及び希望降車位置を取得し、この取得した希望乗車位置及び希望降車位置に対応して時間（時刻）を表す時間軸を設定する。尚、この時間軸を設定する際、例えば、希望乗車位置又は希望降車位置が予め運行時刻が決定されている公共交通機関（電車や路線バス等）の駅やバス停などである場合には、図７にて示す地点Ｄ３のように、運行スケジュール決定部５２は、予め決定されている、言い換えれば、時間的に制約されている公共交通機関の発車時刻等を時間軸上に設定する。
【００４３】
続いて、運行スケジュール決定部５２は、上述したように設定した希望乗車位置及び希望降車位置に対応する時間軸に対して、図７に示すように、取得したそれぞれの希望乗車時間帯（すなわち、希望乗車時刻と乗車許容付加時間）及び希望降車時間帯（希望降車時刻と降車許容付加時間）を設定する。そして、運行スケジュール決定部５２は、図７に示すように、時間軸上に設定した希望乗車時間帯及び希望降車時間帯を少なくとも通る複数の直線をオンデマンドバス１０の運行スケジュール候補として設定する。このように複数の運行スケジュール候補を設定すると、運行スケジュール決定部５２は、設定した複数の運行スケジュールのうち、複数のユーザが１台のオンデマンドバス１０を利用できる運行スケジュール、言い換えれば、複数のユーザが指定した希望乗車時間帯及び希望降車時間帯を通る直線に対応する運行スケジュールを決定する。この運行スケジュールの決定を具体的に図７を用いて例示して説明する。
【００４４】
今、図７に示すタイムチャートにおいては、希望乗車時間帯及び希望降車時間帯の組み合わせを考慮し、これらの時間帯を通る直線として、直線ａ、直線ｂ、直線ｃ及び直線ｄを運行スケジュール候補として設定することができる。すなわち、図７に示すように、実線により示す直線ａは、ユーザＢの希望乗車位置Ｏ２に設定された希望乗車時間帯Ｂｏと、ユーザＤの希望乗車位置Ｏ３に設定された希望乗車時間帯Ｄｏと、ユーザＢの希望降車位置Ｄ２に設定された希望降車時間帯Ｂｄと、ユーザＤの希望降車位置Ｄ４に設定された希望降車時間帯Ｄｄとを通る直線である。又、破線により示す直線ｂは、ユーザＡの希望乗車位置Ｏ１に設定された希望乗車時間帯Ａｏと、ユーザＢの希望乗車時間帯Ｂｏと、ユーザＡの希望降車位置Ｄ１に設定された希望降車時間帯Ａｄと、ユーザＢの希望降車時間帯Ｂｄとを通る直線である。又、実線により示す直線ｃは、ユーザＡの希望乗車時間帯Ａｏと、ユーザＣの希望乗車位置Ｏ２に設定された希望乗車時間帯Ｃｏと、ユーザＡの希望降車時間帯Ａｄと、ユーザＣの希望降車位置Ｄ３（駅）に設定された希望降車時間帯Ｃｄとを通る直線である。更に、破線により示す直線ｄは、ユーザＣの希望乗車時間帯Ｃｏと希望降車時間帯Ｃｄとを通る直線である。
【００４５】
次に、運行スケジュール決定部５２は、運行スケジュール候補としての直線ａ〜直線ｄのうち、直線ｄは、ユーザＣの希望乗車時間帯Ｃｏ及び希望降車時間帯Ｃｄのみを通る直線であるため、運行スケジュールから除外する。又、直線ａと直線ｂについて、直線ａはユーザＢとユーザＤの希望乗車時間帯Ｂｏ，Ｄｏと希望降車時間帯Ｂｄ，Ｄｄとを通る直線であり、直線ｂはユーザＡとユーザＢの希望乗車時間帯Ａｏ，Ｂｏと希望降車時間帯Ａｄ，Ｂｄとを通る直線である。
【００４６】
この場合、直線ｂを運行スケジュールとして決定した場合、直線ａがユーザＤの希望乗車時間帯Ｄｏ及び希望降車時間帯Ｄｄのみを通る直線となるとともに、直線ｃがユーザＣの希望乗車時間帯Ｃｏ及び希望降車時間帯Ｃｄのみを通る直線となる。このため、直線ａ及び直線ｃが運行スケジュールから除外され、ユーザＣ及びユーザＤがオンデマンドバス１０を利用する運行スケジュールが成り立たなくなる。従って、運行スケジュール決定部５２は、直線ａを運行スケジュールとして決定し、直線ｂを運行スケジュールから除外する。又、直線ｃはユーザＡとユーザＣの希望乗車時間帯Ａｏ，Ｃｏと希望降車時間帯Ａｄ，Ｃｄとを通る直線であるため、運行スケジュール決定部５２は、直線ｃを運行スケジュールとして決定する。
【００４７】
ここで、仮に、乗車許容付加時間及び降車許容付加時間を設けることなく、言い換えれば、希望乗車時間帯及び希望降車時間帯を設けることなく、ユーザＡ〜ユーザＤが希望乗車時刻及び希望降車時刻のみを指定した場合の運行スケジュールの決定を想定してみる。この場合、運行スケジュール決定部５２は、原則、ユーザＡ〜ユーザＤが要望（要求）するオンデマンドバス１０の運行を満たすように運行スケジュールを決定する。
【００４８】
このため、ユーザＡは、上述したように、希望乗車位置Ｏ１にて希望乗車時刻として１１時３０分を指定し、希望降車位置Ｄ１にて希望降車時刻として１３時３０分を指定しているため、運行スケジュール決定部５２は、ユーザＡの要望（要求）を満たすように、例えば、直線ｃによって表される運行スケジュールを決定する必要がある。又、ユーザＢは、上述したように、希望乗車位置Ｏ２にて希望乗車時刻として１１時３０分を指定し、希望降車位置Ｄ２にて希望降車時刻として１３時３０分をしているため、運行スケジュール決定部５２は、ユーザＢの要望（要求）を満たすように、例えば、直線ｂによって表される運行スケジュールを決定する必要がある。又、ユーザＣは、上述したように、希望乗車位置Ｏ２にて希望乗車時刻として１３時を指定し、希望降車位置Ｄ３（駅）にて希望降車時刻として１６時を指定しているため、運行スケジュール決定部５２は、ユーザＣの要望（要求）を満たすように、例えば、直線ｄによって表される運行スケジュールを決定する必要がある。更に、ユーザＤは、上述したように、希望乗車位置Ｏ３にて希望乗車時刻として１１時３０分を指定し、希望降車位置Ｄ４にて希望降車時刻として１４時３０分を指定しているため、運行スケジュール決定部５２は、ユーザＤの要望（要求）を満たすように、例えば、直線ａによって表される運行スケジュールを決定する必要がある。
【００４９】
すなわち、このように、乗車許容付加時間及び降車許容付加時間を設けない場合、特に、図７における希望乗車時間帯Ａｏ、希望降車時間帯Ａｄ，Ｂｄ，Ｃｄを設けない場合には、ユーザＡ〜ユーザＤの要望（要求）を満たすために、４つの運行スケジュールを決定する必要がある。言い換えれば、４台のオンデマンドバス１０をそれぞれ独立的に運行する必要があり、運行便数が増加する。従って、採算性を確保することが困難となるとともに、採算性を確保するためにユーザによる運賃負担が増加する可能性がある。又、例えば、運行可能なオンデマンドバス１０の台数が限られている場合には、ユーザＡ〜ユーザＤの要望（要求）を満たす運行スケジュールによって運行されるオンデマンドバス１０が確保できない可能性があり、予約情報を送信したにもかからわす該当するユーザに対してお断り情報を送信する頻度が増加する可能性もある。従って、ユーザの良好な利便性を確保することが難しくなる可能性がある。
【００５０】
これに対し、上述したように、ユーザＡ〜ユーザＤのそれぞれが自身の都合に合わせて乗車許容付加時間及び降車許容付加時間を指定する、すなわち、希望乗車時間帯及び希望降車時間帯を指定することにより、これらの付加時間（時間帯）の組み合わせが、所謂、バッファー的に作用し、少ない運行便数によりユーザＡ〜ユーザＤの要望（要求）を満たす運行スケジュールを決定することができる。具体的に、上述した想定においては、ユーザＡとユーザＣはそれぞれ１台のオンデマンドバス１０を利用することになるが、乗車許容付加時間及び降車許容付加時間（希望乗車時間帯及び希望降車時間帯）を指定することにより、直線ｄの運行スケジュールを直線ｃの運行スケジュールに統合することができて、ユーザＡとユーザＣの要望（要求）を１台のオンデマンドバス１０によって満たすことができる。又、上述した想定においては、ユーザＢとユーザＤはそれぞれ１台のオンデマンドバス１０を利用することになるが、乗車許容付加時間及び降車許容付加時間（希望乗車時間帯及び希望降車時間帯）を指定することにより、直線ｂの運行スケジュールを直線ａの運行スケジュールに統合することができて、ユーザＢとユーザＤの要望（要求）を１台のオンデマンドバス１０によって満たすことができる。
【００５１】
尚、オンデマンドバス１０のユーザによって乗車許容付加時間及び降車許容付加時間（希望乗車時間帯及び希望降車時間帯）が指定されることにより、例えば、交通事情等によって乗降地点間を走行するオンデマンドバス１０の走行時間が変動したり、或いは、ユーザの乗降に要する乗降時間が変動しても、ある程度の変動時間を適切に吸収することができる。これにより、希望乗車時間帯内及び希望降車時間帯内にオンデマンドバス１０を到着させることが可能となり、その結果、オンデマンドバス１０の運行便数の増加を効果的に抑制することができる。
【００５２】
このように、タイムチャート上にてオンデマンドバス１０の運行スケジュールを表す直線ａ及び直線ｃを決定すると、運行スケジュール決定部５２は、決定した直線ａ及び直線ｃによって表される運行スケジュールを運行データベース２１ｄの所定記憶位置に記憶する。具体的に、運行スケジュール決定部５２は、図７に示したタイムチャートに従い、直線ａによって表される運行スケジュールとして、１０時３０分までに乗車位置Ｏ２にオンデマンドバス１０を配車し、このオンデマンドバス１０が１１時３０分に乗車位置Ｏ３に到着し、１２時３０分に降車位置Ｄ２に到着し、１４時３０分に降車位置Ｄ４に到着する運行スケジュール（以下、「第１運行スケジュール」と称呼する。）を記憶する。又、運行スケジュール決定部５２は、図７に示したタイムチャートに従い、直線ｃによって表される運行スケジュールとして、１１時３０分までに乗車位置Ｏ１にオンデマンドバス１０を配車し、このオンデマンドバス１０が１２時３０分に乗車位置Ｏ２に到着し、１３時３０分に降車位置Ｄ１に到着し、１５時３０分に降車位置Ｄ３（駅）に到着する運行スケジュール（以下、「第２運行スケジュール」と称呼する。）を記憶する。
【００５３】
情報提供手段としての情報出力部５３は、運行スケジュール決定部５２によって決定された運行スケジュールを表す運行スケジュール情報及び決定された運行スケジュールに関連する運行状況情報をユーザに出力（提供）する。以下、上述した例示に従い具体的に説明する。
【００５４】
上述した例示において、運行スケジュール決定部５２は、図７に示したタイムチャートに従い、ユーザＢ及びユーザＤが利用するオンデマンドバス１０に適用される第１運行スケジュールと、ユーザＡ及びユーザＣが利用するオンデマンドバス１０に適用される第２運行スケジュールとを決定する。従って、情報出力部５３は、ユーザＢ及びユーザＤに対しては第１運行スケジュールを表す運行スケジュール情報及び運行状況情報をそれぞれの情報端末装置３０に送信し、ユーザＡ及びユーザＣに対しては第２運行スケジュールを表す運行スケジュール情報及び運行状況情報をそれぞれの情報端末装置３０に送信する。尚、このように、運行スケジュール情報が送信されることにより、各ユーザＡ〜ユーザＤが送信した予約情報が確定されたことを認識するようになっている。又、ユーザＢ及びユーザＤが利用するオンデマンドバス１０に搭載された運行情報端末装置１１には第１運行スケジュールを表す運行スケジュール情報が送信され、ユーザＡ及びユーザＣが利用するオンデマンドバス１０に搭載された運行情報端末装置１１には第２運行スケジュールを表す運行スケジュール情報が送信される。
【００５５】
そして、情報出力部５３は、第１運行スケジュールに合わせて、ユーザＢに対し、例えば、「１０時３０分に希望乗車位置Ｏ２に到着するオンデマンドバスにご乗車ください。」等の案内メッセージを情報端末装置３０に送信する。又、情報出力部５３は、該当するオンデマンドバス１０に搭載された運行情報端末装置１１から取得したオンデマンドバス１０の運行情報としての位置情報（より詳しくは、現在位置情報）に従い、例えば、ユーザＢが乗車する所定時間前に「交通渋滞によりオンデマンドバスの到着が遅れます。」や、ユーザＢが乗車する数分前に「間もなく、オンデマンドバスが到着します。」等の運行状況情報（ステータス情報）を情報端末装置３０に送信する。これにより、ユーザＢは、自身が予約情報によって要望（要求）した希望乗車位置Ｏ２及び希望乗車時間帯Ｂｏによってオンデマンドバス１０に乗車することができて、希望降車位置Ｄ２及び希望降車時間帯Ｂｄによってオンデマンドバス１０から降車することができる。
【００５６】
又、情報出力部５３は、第１運行スケジュールに合わせて、ユーザＤに対し、例えば、「１１時３０分に希望乗車位置Ｏ３に到着するオンデマンドバスにご乗車ください。」等の案内メッセージを情報端末装置３０に送信する。又、ユーザＤに対しても、ユーザＢと同様に、情報出力部５３は、オンデマンドバス１０の現在位置情報に従い、運行状況情報（ステータス情報）を情報端末装置３０に送信する。これにより、ユーザＤは、自身が予約情報によって要望（要求）した希望乗車位置Ｏ３及び希望乗車時間帯Ｄｏによってオンデマンドバス１０に乗車することができて、希望降車位置Ｄ４及び希望降車時間帯Ｄｄによってオンデマンドバス１０から降車することができる。
【００５７】
又、情報出力部５３は、第２運行スケジュールに合わせて、ユーザＡに対し、例えば、「１１時３０分に希望乗車位置Ｏ１に到着するオンデマンドバスにご乗車ください。」等の案内メッセージを情報端末装置３０に送信する。又、情報出力部５３は、該当するオンデマンドバス１０に搭載された運行情報端末装置１１から取得したオンデマンドバス１０の運行情報としての位置情報（より詳しくは、現在位置情報）に従い、例えば、ユーザＡが乗車する所定時間前に「交通渋滞によりオンデマンドバスの到着が遅れます。」や、ユーザＡが乗車する数分前に「間もなく、オンデマンドバスが到着します。」等の運行状況情報（ステータス情報）を情報端末装置３０に送信する。これにより、ユーザＡは、自身が予約情報によって要望（要求）した希望乗車位置Ｏ１及び希望乗車時間帯Ａｏによってオンデマンドバス１０に乗車することができて、希望降車位置Ｄ１及び希望降車時間帯Ａｄによってオンデマンドバス１０から降車することができる。
【００５８】
更に、情報出力部５３は、第２運行スケジュールに合わせて、ユーザＣに対し、例えば、「１２時３０分に希望乗車位置Ｏ２に到着するオンデマンドバスにご乗車ください。」等の案内メッセージを情報端末装置３０に送信する。又、ユーザＣに対しても、ユーザＡと同様に、情報出力部５３は、オンデマンドバス１０の現在位置情報に従い、運行状況情報（ステータス情報）を情報端末装置３０に送信する。これにより、ユーザＣは、自身が予約情報によって要望（要求）した希望乗車位置Ｏ２及び希望乗車時間帯Ｃｏによってオンデマンドバス１０に乗車することができて、希望降車位置Ｄ３（駅）及び希望降車時間帯Ｃｄによってオンデマンドバス１０から降車することができる。尚、ユーザＣについては、時間的に制約のある駅にてオンデマンドバス１０を降車する。この場合、ユーザＣが指定した希望降車時間帯Ｃｄにオンデマンドバス１０が駅に到着することにより、ユーザＣは公共交通機関（電車や路線バス）に確実に乗ることができる。
【００５９】
ところで、オンデマンドバス１０を利用したユーザは、例えば、プリペイド式やポストペイド式の電子マネーカード、或いは、運行情報端末装置１１と情報端末装置３０（携帯電話やスマートフォン等）との間の近距離無線通信による電子的な決済を利用して、運賃を支払うことができる。このように、電子マネーカードや情報端末装置３０を利用して短時間のうちに運賃や代金を支払うことにより、オンデマンドバス１０の乗降時間を短縮することができ、決定された運行スケジュール通りの運行が可能となる。
【００６０】
以上の説明からも理解できるように、上記実施形態によれば、オンデマンドバス１０を利用するユーザが乗車許容付加時間及び降車許容付加時間（希望乗車時間帯及び希望降車時間帯）を指定することができ、運行スケジュール決定部５２がこれら付加時間（時間帯）の組み合わせを考慮して（加味して）運行スケジュールを決定することによって、ユーザの利便性を損なうことなく運行便数の増加を適切に抑制することができる。このように、効率的かつ合理的な運行スケジュールを決定することにより、採算性を確保してオンデマンドバス１０を運行させることができ、その結果、ユーザが負担する運賃（コスト）が増大することを適切に抑制することができる。
【００６１】
上記実施形態においては、ユーザが乗車許容付加時間及び降車許容付加時間を指定する、言い換えれば、希望乗車時間帯及び希望降車時間帯を指定することにより、オンデマンドバス１０を効率よく運行させて運行便数を効果的に低減させることができることを説明した。この場合、ユーザが乗車許容付加時間及び降車許容付加時間（希望乗車時間帯及び希望降車時間帯）を指定する際、「スポット予約」（すなわち、短い時間帯）が指定されるよりも「普通予約」（すなわち、スポット予約よりも長い時間帯）が指定される方がよりオンデマンドバス１０の運行便数を統合することが可能となり、更には、「普通予約」よりも「ゆったりおまかせ予約」（すなわち、普通予約よりも長い時間帯）が指定される方がより容易にオンデマンドバス１０の運行便数を統合することが可能となる。従って、ユーザが乗車許容付加時間及び降車許容付加時間（希望乗車時間帯及び希望降車時間帯）を指定する際に、これら付加時間（時間帯）を長く設定してもらえるように促すように実施することが可能である。以下、上記実施形態の変形例を具体的に説明するが、上記実施形態と同一部分に同一の符号を付し、その説明を省略する。
【００６２】
この変形例においても、ユーザは、自身が所持する情報端末装置３０を用いて予約情報を運行管理センタ２０に送信することができるとともに、例えば、自宅に設置された固定電話等を利用して運行管理センタ２０に常駐しているオペレータに対して音声による通話によって予約情報を伝達することもできる。従って、以下の説明においては、上記実施形態と同様に、主に、ユーザが情報端末装置３０を用いて予約情報を送信（伝達）する場合を説明する。
【００６３】
この変形例においても、ユーザが情報端末装置３０を利用して運行管理センタ２０に予約情報を送信する場合、ユーザは、情報端末装置３０にて予約情報を送信するために運行管理センタ２０から提供された所定のアプリケーションプログラムを起動させる。そして、ユーザは、上記実施形態と同様に、情報端末装置３０の入力ユニット３１を利用し、この所定のアプリケーションプログラムに従い、希望乗車位置、希望降車位置、希望乗車時刻、乗車許容付加時間、希望降車時刻、降車許容付加時間を入力して指定する。
【００６４】
このとき、この変形例における所定のアプリケーションプログラムにおいては、ユーザが乗車許容付加時間及び降車許容付加時間を入力する際、ユーザに付与される利得として、オンデマンドバス１０の運賃が乗車許容付加時間及び降車許容付加時間の長さに応じて変更されることを提示するようになっている。すなわち、この変形例における所定のアプリケーションプログラムでは、乗車許容付加時間及び降車許容付加時間を入力する際に、ユーザに対して、例えば、「スポット予約」よりも「普通予約」を選択する方が運賃が安くなり、「普通予約」よりも「ゆったりおまかせ予約」を選択する方がより運賃が安くなることを提示する。尚、この場合、利得として、運賃を割り引くことに代えて、例えば、オンデマンドバス１０の利用ごとに付与されて運賃の決済にも利用できるポイントの付与割合を増大させるように実施することも可能である。
【００６５】
これにより、予約情報を送信するユーザにおいては、例えば、オンデマンドバス１０を利用して駅に移動して電車に乗り換える状況等、時間の制約がある状況では、運賃が割高になってもやむを得ず「スポット予約」を選択する場合があるものの、オンデマンドバス１０を利用する移動に時間の制約がない状況では、ユーザは運賃が安価となる「普通予約」や「ゆったりおまかせ予約」を選択し易くなる。そして、ユーザが乗車許容付加時間及び降車許容付加時間を入力すると、入力された（指定された）時間の長さに応じて決定される運賃（利得）をユーザに提示する。
【００６６】
このように、乗車許容付加時間及び降車許容付加時間を入力する際に、ユーザが「普通予約」や「ゆったりおまかせ予約」を選択し易くするように促すことにより、上述した実施形態にて説明したように、複数のユーザが１台のオンデマンドバス１０を利用して移動することができる運行スケジュールを決定することができる。すなわち、オンデマンドバス１０の運行をより統合し易くなり、その結果、オンデマンドバス１０をより効率よくかつ採算性を確保して運行することができ、ユーザによる運賃負担を軽減することができる。
【００６７】
本発明の実施にあたっては、上記実施形態及び変形例に限定されるものではなく、本発明の目的を逸脱しない限りにおいて種々の変更が可能である。
【００６８】
例えば、上記実施形態及び変形例においては、予約情報を運行管理センタ２０に送信（伝達）したユーザに対して、運行スケジュール情報及び運行状況情報（ステータス情報）を提供するように実施した。この場合、よりオンデマンドバス１０の利用率（設定された座席数に対する着座数の比）を高めてより効率よく運行させることが好ましい。このため、情報出力部５３は、例えば、予約情報受付部５１及び運行スケジュール決定部５２と協働して、オンデマンドバス１０の利用率が所定の利用率に比して低いか否かを判定する。
【００６９】
そして、オンデマンドバス１０の利用率が所定の利用率に比して低い場合には、情報出力部５３は、オンデマンドバス１０の利用を予約していないユーザに対して、例えば、現在運行中（或いは、これから運行する）オンデマンドバス１０の利用率、言い換えれば、空席数を表す空席情報を提供することが可能である。これにより、例えば、急用によってオンデマンドバス１０を利用する必要が生じたユーザが案内されたオンデマンドバス１０を利用することでオンデマンドバス１０の利用率を高めることができ、より効率よくかつ採算性を高めてオンデマンドバス１０を運行させることができる。従って、この場合においても、上記実施形態及び変形例と同様の効果が得られる。
【００７０】
尚、この場合、情報出力部５３は、例えば、運行データベース２１ｄの所定記憶位置に記憶されている過去の予約情報テーブルに基づき、今回、運行スケジュール決定部５２によって決定された運行スケジュールを利用する可能性のあるユーザを抽出し、この抽出したユーザに運行スケジュール情報及び空席情報を提供することができる。
【００７１】
又、上記実施形態及び変形例においては、運行スケジュール決定部５２は、原則として、ユーザによって送信（伝達）された予約情報を変更することなく、オンデマンドバス１０の運行スケジュールを決定するように実施した。この場合、例えば、あるユーザが乗車許容付加時間（すなわち、乗車希望時間帯）を「普通予約」として選択している状況において、この乗車許容付加時間を「ゆったりおまかせ予約」として選択してもらうことによってオンデマンドバス１０の運行便数を低減できるときには、運行スケジュール決定部５２は、予約情報受付部５１及び情報出力部５３と協働して、このユーザに対して予約情報の変更を依頼することができる。この場合、ユーザが予約情報の変更依頼を受諾した場合には、例えば、オンデマンドバス１０の運賃を割り引く等の特典を付与することができる。このように、予約情報の変更を依頼し、変更された予約情報に基づいて運行スケジュールを決定することによっても、上記実施形態及び変形例と同様の効果が得られる。
【００７２】
又、上記実施形態及び変形例においては、ユーザは、乗車許容付加時間及び降車許容付加時間を指定するすなわち乗車希望時間帯及び降車希望時間帯を指定するにあたり、予め時間の長さが設定された「ゆったりおまかせ予約」、「普通予約」及び「スポット予約」のうちから選択して設定するように実施した。この場合、ユーザが所定の範囲内となるように任意の長さを設定して乗車許容付加時間及び降車許容付加時間すなわち乗車希望時間帯及び降車希望時間帯を指定するように実施することも可能である。これによっても、上記実施形態及び変形例と同様の効果を得ることができる。
【００７３】
又、上記実施形態及び変形例においては、希望乗車時間帯が希望乗車時刻と希望乗車時刻の前後に付加される乗車許容付加時間とから構成され、希望降車時間帯が希望降車時刻と希望降車時刻の前後に付加される降車許容付加時間とから構成されるように実施した。すなわち、上記実施形態及び変形例においては、ユーザが予約情報として希望乗車時刻及び希望降車時刻を指定するとともに、乗車許容付加時間及び降車許容付加時間を指定するように実施した。この場合、予約情報として、希望乗車時刻及び希望降車時刻を指定することを省略し、希望乗車時間帯を乗車許容付加時間により表し、希望降車時間帯を降車許容付加時間により表すように実施することも可能である。この場合においても、ユーザによって希望乗車時間帯及び希望降車時間帯が指定されるため、上記実施形態及び変形例と同様の効果が得られる。
【００７４】
更に、上記実施形態及び変形例においては、本発明に係るオンデマンド車両運行管理装置を運行管理センタ２０に設けて実施した。この場合、例えば、オンデマンドバス１０に搭載された運行情報端末装置１１（より詳しくは、電子制御ユニット１１ａ）やユーザが所持する情報端末装置３０（より詳しくは、電子制御ユニット３３）が、単独により、或いは、協働して、上述した運行管理部５０を構成する予約情報受付部５１、運行スケジュール決定部５２及び情報出力部５３と同等の動作を実現するように実施することも可能である。この場合においても、上記実施形態及び変形例と同様の効果が得られる。
【図１】
2014002267.tif 000003
【図２】
2014002267.tif 000004
【図３】
2014002267.tif 000005
【図４】
2014002267.tif 000006
【図５】
2014002267.tif 000007
【図６】
2014002267.tif 000008
【図７】
2014002267.tif 000009
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
複数の利用者からの要望に基づいてオンデマンド車両の運行スケジュールを作成し、作成した運行スケジュールに従って前記オンデマンド車両の運行を管理する運行管理手段を備えたオンデマンド車両運行管理装置において、
前記運行管理手段が、
前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記希望乗車時間帯及び前記希望降車時間帯の長さに応じて、前記オンデマンド車両を利用するそれぞれの前記利用者に付与される利得を決定し、
前記決定した利得を前記利用者に提示することを特徴とするオンデマンド車両運行管理装置。
【請求項２】
請求項１に記載したオンデマンド車両運行管理装置において、
前記希望乗車時間帯及び前記希望降車時間帯は、
前記オンデマンド車両を利用する前記利用者がそれぞれ指定するものであることを特徴とするオンデマンド車両運行管理装置。
【請求項３】
請求項１又は請求項２に記載したオンデマンド車両運行管理装置において、
前記希望乗車時間帯は、前記オンデマンド車両に乗車する希望乗車時刻と、この希望乗車時刻の前後に付加されて前記オンデマンド車両を利用するそれぞれの前記利用者にとって許容可能な乗車許容付加時間とを含んで構成され、
前記希望降車時間帯は、前記オンデマンド車両から降車する希望降車時刻と、この希望降車時刻の前後に付加されて前記利用者にとって許容可能な降車許容付加時間とを含んで構成されることを特徴とするオンデマンド車両運行管理装置。
【請求項４】
請求項１ないし請求項３のうちのいずれか一つに記載したオンデマンド車両運行管理装置において、
前記希望乗車時間帯及び前記希望降車時間帯は、予め設定された複数の時間帯のうちから選択されるものであることを特徴とするオンデマンド車両運行管理装置。
【請求項５】
請求項１ないし請求項４のうちのいずれか一つに記載したオンデマンド車両運行管理装置において、
前記運行管理手段は、
前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することを特徴とするオンデマンド車両運行管理装置。
【請求項６】
請求項１に記載したオンデマンド車両運行管理装置において、
前記運行管理手段は、
前記希望乗車時間帯及び前記希望降車時間帯の長さが短くなるほど、前記利用者に付与される利得を小さく決定し、
前記希望乗車時間帯及び前記希望降車時間帯の長さが長くなるほど、前記利用者に付与される利得を大きく決定することを特徴とするオンデマンド車両運行管理装置。
【請求項７】
請求項１に記載したオンデマンド車両運行管理装置において、
前記複数の利用者に付与される利得は、
前記オンデマンド車両の利用に際して発生する運賃に関連するものであることを特徴とするオンデマンド車両運行管理装置。
【請求項８】
複数の利用者からの要望に基づいてオンデマンド車両の運行スケジュールを作成し、作成した運行スケジュールに従って前記オンデマンド車両の運行を管理するオンデマンド車両運行管理方法において、
前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することを特徴とするオンデマンド車両運行管理方法。
【請求項９】
請求項８に記載したオンデマンド車両運行管理方法において、更に、
前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、
前記決定した利得を前記利用者に提示することを特徴とするオンデマンド車両運行管理方法。
【請求項１０】
複数の利用者が乗車するオンデマンド車両と、前記複数の利用者からの要望に基づいて前記オンデマンド車両の運行スケジュールを作成し、作成した運行スケジュールに従って前記オンデマンド車両の運行を管理する運行管理センタと、前記利用者によって操作されて前記要望を前記運行管理センタに供給する情報端末装置とからなるオンデマンド車両運行管理システムにおいて、
前記運行管理センタは、
前記情報端末装置によって供給される前記複数の利用者からの要望であって、少なくとも、前記複数の利用者がそれぞれ前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記決定した運行スケジュールを表す運行スケジュール情報を前記情報端末装置を介して前記複数の利用者に提供するとともに、前記決定した運行スケジュールに従って運行している前記オンデマンド車両の運行状況を表す運行状況情報を前記情報端末装置を介して前記複数の利用者に提供することを特徴とするオンデマンド車両運行管理システム。
【請求項１１】
請求項１０に記載したオンデマンド車両運行管理システムにおいて、
前記運行管理センタは、更に、
前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、
前記決定した利得を前記情報端末装置を介して前記利用者に提示することを特徴とするオンデマンド車両運行管理システム。
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
複数の利用者からの要望に基づいてオンデマンド車両の運行スケジュールを作成し、作成した運行スケジュールに従って前記オンデマンド車両の運行を管理する運行管理手段を備えたオンデマンド車両運行管理装置において、
前記運行管理手段が、
前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記希望乗車時間帯及び前記希望降車時間帯の長さに応じて、前記オンデマンド車両を利用するそれぞれの前記利用者に付与される利得を決定し、
前記決定した利得を前記利用者に提示することを特徴とするオンデマンド車両運行管理装置。
【請求項２】
請求項１に記載したオンデマンド車両運行管理装置において、
前記希望乗車時間帯及び前記希望降車時間帯は、
前記オンデマンド車両を利用する前記利用者がそれぞれ指定するものであることを特徴とするオンデマンド車両運行管理装置。
【請求項３】
請求項１又は請求項２に記載したオンデマンド車両運行管理装置において、
前記希望乗車時間帯は、前記オンデマンド車両に乗車する希望乗車時刻と、この希望乗車時刻の前後に付加されて前記オンデマンド車両を利用するそれぞれの前記利用者にとって許容可能な乗車許容付加時間とを含んで構成され、
前記希望降車時間帯は、前記オンデマンド車両から降車する希望降車時刻と、この希望降車時刻の前後に付加されて前記利用者にとって許容可能な降車許容付加時間とを含んで構成されることを特徴とするオンデマンド車両運行管理装置。
【請求項４】
請求項１ないし請求項３のうちのいずれか一つに記載したオンデマンド車両運行管理装置において、
前記希望乗車時間帯及び前記希望降車時間帯は、予め設定された複数の時間帯のうちから選択されるものであることを特徴とするオンデマンド車両運行管理装置。
【請求項５】
請求項１ないし請求項４のうちのいずれか一つに記載したオンデマンド車両運行管理装置において、
前記運行管理手段は、
前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することを特徴とするオンデマンド車両運行管理装置。
【請求項６】
請求項１ないし請求項５のうちのいずれか一つに記載したオンデマンド車両運行管理装置において、
前記運行管理手段は、
前記希望乗車時間帯及び前記希望降車時間帯の長さが短くなるほど、前記利用者に付与される利得を小さく決定し、
前記希望乗車時間帯及び前記希望降車時間帯の長さが長くなるほど、前記利用者に付与される利得を大きく決定することを特徴とするオンデマンド車両運行管理装置。
【請求項７】
請求項１ないし請求項６のうちのいずれか一つに記載したオンデマンド車両運行管理装置において、
前記複数の利用者に付与される利得は、
前記オンデマンド車両の利用に際して発生する運賃に関連するものであることを特徴とするオンデマンド車両運行管理装置。
【請求項８】
複数の利用者からの要望に基づいてオンデマンド車両の運行スケジュールを作成し、作成した運行スケジュールに従って前記オンデマンド車両の運行を管理するオンデマンド車両運行管理方法において、
前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供し、
前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、
前記決定した利得を前記利用者に提示することを特徴とするオンデマンド車両運行管理方法。
【請求項９】
複数の利用者が乗車するオンデマンド車両と、前記複数の利用者からの要望に基づいて前記オンデマンド車両の運行スケジュールを作成し、作成した運行スケジュールに従って前記オンデマンド車両の運行を管理する運行管理センタと、前記利用者によって操作されて前記要望を前記運行管理センタに供給する情報端末装置とからなるオンデマンド車両運行管理システムにおいて、
前記運行管理センタは、
前記情報端末装置によって供給される前記複数の利用者からの要望であって、少なくとも、前記複数の利用者がそれぞれ前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、
前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、
前記決定した運行スケジュールを表す運行スケジュール情報を前記情報端末装置を介して前記複数の利用者に提供するとともに、前記決定した運行スケジュールに従って運行している前記オンデマンド車両の運行状況を表す運行状況情報を前記情報端末装置を介して前記複数の利用者に提供し、
前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、
前記決定した利得を前記情報端末装置を介して前記利用者に提示することを特徴とするオンデマンド車両運行管理システム。
【手続補正２】
【補正対象書類名】明細書
【補正対象項目名】０００８
【補正方法】変更
【補正の内容】
【０００８】
本発明の特徴は、前記運行管理手段が、前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、前記希望乗車時間帯及び前記希望降車時間帯の長さに応じて、前記オンデマンド車両を利用するそれぞれの前記利用者に付与される利得を決定し、前記決定した利得を前記利用者に提示することにある。この場合、前記運行管理手段は、前記希望乗車時間帯及び前記希望降車時間帯の長さが短くなるほど、前記利用者に付与される利得を小さく決定し、前記希望乗車時間帯及び前記希望降車時間帯の長さが長くなるほど、前記利用者に付与される利得を大きく決定することができる。そして、これらの場合、前記利用者に付与される利得は、例えば、前記オンデマンド車両の利用に際して発生する運賃に関連するものとすることができる。
【手続補正３】
【補正対象書類名】明細書
【補正対象項目名】０００９
【補正方法】変更
【補正の内容】
【０００９】
又、この場合、前記希望乗車時間帯及び前記希望降車時間帯は、前記オンデマンド車両を利用する前記利用者がそれぞれ指定することができる。そして、これらの場合、前記希望乗車時間帯を、前記オンデマンド車両に乗車する希望乗車時刻と、この希望乗車時刻の前後に付加されて前記オンデマンド車両を利用するそれぞれの前記利用者にとって許容可能な乗車許容付加時間とを含んで構成することができ、前記希望降車時間帯を、前記オンデマンド車両から降車する希望降車時刻と、この希望降車時刻の前後に付加されて前記利用者にとって許容可能な降車許容付加時間とを含んで構成することができる。更に、これらの場合、前記希望乗車時間帯及び前記希望降車時間帯は、予め設定された複数の時間帯のうちから選択することができる。
【手続補正４】
【補正対象書類名】明細書
【補正対象項目名】００１０
【補正方法】変更
【補正の内容】
【００１０】
又、これらの場合、前記運行管理手段は、前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供することができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
又、これらによれば、オンデマンド車両の利用者に対して、希望乗車時間帯及び希望降車時間帯を長くするように効果的に促すことができる。これにより、希望乗車時間帯及び希望降車時間帯（乗車許容付加時間及び降車許容付加時間）をより有効に組み合わせて活用して、利用者の利便性を損なうことなく運行便数の増加を適切に抑制することができる。
【手続補正７】
【補正対象書類名】明細書
【補正対象項目名】００１４
【補正方法】変更
【補正の内容】
【００１４】
又、本発明の他の特徴は、複数の利用者からの要望に基づいてオンデマンド車両の運行スケジュールを作成し、作成した運行スケジュールに従って前記オンデマンド車両の運行を管理するオンデマンド車両運行管理方法において、前記複数の利用者からの要望であって、少なくとも、前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、前記決定した運行スケジュールを表す運行スケジュール情報を前記複数の利用者に提供するとともに、前記決定した運行スケジュールに従って運行している前記オンデマンド車両の運行状況を表す運行状況情報を前記複数の利用者に提供し、前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、前記決定した利得を前記利用者に提示することにもある。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
更に、本発明の他の特徴は、複数の利用者が乗車するオンデマンド車両と、前記複数の利用者からの要望に基づいて前記オンデマンド車両の運行スケジュールを作成し、作成した運行スケジュールに従って前記オンデマンド車両の運行を管理する運行管理センタと、前記利用者によって操作されて前記要望を前記運行管理センタに供給する情報端末装置とからなるオンデマンド車両運行管理システムにおいて、前記運行管理センタは、前記情報端末装置によって供給される前記複数の利用者からの要望であって、少なくとも、前記複数の利用者がそれぞれ前記オンデマンド車両に乗車する希望乗車位置、前記希望乗車位置にて前記オンデマンド車両に乗車する希望乗車時間帯、前記オンデマンド車両から降車する希望降車位置及び前記希望降車位置にて前記オンデマンド車両から降車する希望降車時間帯を含む情報をそれぞれ取得し、前記複数の利用者から取得したそれぞれの前記情報のうちの前記希望乗車時間帯及び前記希望降車時間帯の組み合わせを考慮して、前記複数の利用者が前記希望乗車時間帯内で前記希望乗車位置にて前記オンデマンド車両に乗車し、前記希望降車時間帯内で前記希望降車位置にて前記オンデマンド車両から降車するように、前記オンデマンド車両を運行する運行スケジュールを決定し、前記決定した運行スケジュールを表す運行スケジュール情報を前記情報端末装置を介して前記複数の利用者に提供するとともに、前記決定した運行スケジュールに従って運行している前記オンデマンド車両の運行状況を表す運行状況情報を前記情報端末装置を介して前記複数の利用者に提供し、前記希望乗車時間帯及び前記希望降車時間帯の長さに応じて、前記希望乗車時間帯及び前記希望降車時間帯の長さが短くなるほど前記オンデマンド車両を利用するそれぞれの前記利用者に付与される利得を小さく決定し、前記希望乗車時間帯及び前記希望降車時間帯の長さが長くなるほど前記利用者に付与される利得を大きく決定し、前記決定した利得を前記情報端末装置を介して前記利用者に提示することにもある。
【手続補正１０】
【補正対象書類名】明細書
【補正対象項目名】００１７
【補正方法】削除
【補正の内容】
【国際調査報告】
2014002267.tif 000010
2014002267.tif 000011
2014002267.tif 000012
2014002267.tif 000013